(57)【要約】【課題】  実施の形態は、信頼性の高いライティングダクトを提供する。【解決手段】  長尺のダクト本体と、前記ダクト本体の内側に長手方向に沿って設けられると共に前記ダクト本体に固定された一対の支持部材と、これら一対の支持部材にそれぞれ挿入され、その一部を前記ダクト本体の内側に向けて露出させた一対の導電体と、これら一対の導電体の非露出部に形成されたローレット部とを具備している。【選択図】図１
2018055845.tif 000002
【特許請求の範囲】
【請求項１】
長尺のダクト本体と；
前記ダクト本体の内側に長手方向に沿って設けられると共に前記ダクト本体に固定された一対の支持部材と；
これら一対の支持部材にそれぞれ挿入され、その一部を前記ダクト本体の内側に向けて露出させた一対の導電体と；
これら一対の導電体の非露出部に形成されたローレット部と；を
具備しているライティングダクト。
【請求項２】
前記ローレット部は、前記支持部材と前記導電体との前記長手方向と交差する方向の稜線が形成されている請求項１のライティングダクト。
【発明の詳細な説明】
【技術分野】
【０００１】
本発明の実施形態は、天井等に取り付けるライティングダクトに関する。
【背景技術】
【０００２】
照明器具による照明場所を任意に調整可能とするために、照明器具をダクト内の任意の位置に取付可能であるとともに照明器具がいずれの取付位置でも給電可能とするライティングダクト装置が知られている。
【０００３】
このライティングダクト装置では、天井面などに断面コの字状のライティングダクトを開口部を下方に向けて設置し、端部に商用電源に接続された電源供給装置を取り付けている。ライティングダクトの内側には長手方向に沿って給電用の対の導電体が配設されている。ライティングダクトにはコンセントが着脱可能に取り付けられ、コンセント内の導電片と導電体とが接触することで、コンセントを介してコンセントに接続された照明器具に電力を供給することができると共に、コンセントをライティングダクトの任意の位置で固定することで、いずれの取付位置でも給電可能としている。
【０００４】
具体的な構成としては、ライティングダクトは、天井面に取り付けられる長尺のダクト本体を備えている。ダクト本体の内側には長手方向に沿って設けられた一対の支持部材が設けられている。これら一対の支持部材にはそれぞれ細長い導電体がインサート成形されており、その一部がダクト本体の内側に向けて露出されている。この露出部分は、コンセントに電力を供給すると共に、電源供給装置側の導電部とも接触する。
【０００５】
なお、コンセントの導電片や電源供給装置の導電部は、導電体に対して一定以上の力で押圧されることで十分な機械的・電気的接触が可能となるようにバネ等により付勢されている。
【先行技術文献】
【特許文献】
【０００６】
【特許文献１】特開２００３−１９７０２６号公報
【発明の概要】
【発明が解決しようとする課題】
【０００７】
ライティングダクトに設けられた導電体は、電源供給装置を挿入する際や、コンセントを水平方向にスライドする際に、電源供給装置の導電部、コンセントの接触片等から長手方向への力を受け、導電体が支持部材に対して長手方向に移動することがあった。このため、電源供給装置との導通が遮断されて電源供給不能となる等、信頼性が低下する問題があった。この他、導電体がライティングダクトからはみ出す等して美感を損ねて商品性が低下する等の課題がある。
【０００８】
本発明の実施形態は、信頼性の高いライティングダクトを提供する。
【課題を解決するための手段】
【０００９】
実施形態のライティングダクトは、長尺のダクト本体と、前記ダクト本体の内側に長手方向に沿って設けられると共に前記ダクト本体に固定された一対の支持部材と、これら一対の支持部材にそれぞれ挿入され、その一部を前記ダクト本体の内側に向けて露出させた一対の導電体と、これら一対の導電体の非露出部に形成されたローレット部とを具備している。
【発明の効果】
【００１０】
実施形態によれば、信頼性の高いライティングダクトを提供できる。
【図面の簡単な説明】
【００１１】
【図１】図１は、第１の実施形態のライティングダクトの外観を示す斜視図である。
【図２】図２は、第１の実施形態のライティングダクトに組み込まれた導電体を示す斜視図である。
【図３】図３は、第１の実施形態の導電体の加工工程を示す説明図である。
【発明を実施するための形態】
【００１２】
図１乃至図３は、第１の実施の形態を示す。図１は、第１の実施形態のライティングダクト１０の外観を示す斜視図、図２は、第１の実施形態のライティングダクト１０に組み込まれた導電体３１を示す斜視図、図３は、第１の実施形態の導電体３１の加工工程を示す説明図である。
【００１３】
ライティングダクト１０は、天井面などの設置面に配設されており、端部に電源供給装置４０が着脱自在に取り付けられる。また、コンセント５０を介して照明器具（不図示）を任意の取付位置に着脱自在とするとともに照明器具のいずれの取付位置でも給電可能とされている。
【００１４】
ライティングダクト１０は、断面略コ字形で長尺のダクト本体２０を有している。ダクト本体２０は、断面略コ字形の金属製の基材の外面全体を合成樹脂製で絶縁性を有する絶縁体により覆って一体形成されている。ダクト本体２０の下面には開口部２１が長手方向に沿って形成されている。また、この開口部２１の両側に一対の支持縁部２２が形成されている。さらに、開口部２１と反対の上面には設置面に対してねじなどで取り付けるための取付孔２３が形成されている。
【００１５】
ライティングダクト１０の内側の両側位置には一対の導体支持部３０が長手方向に沿って挿脱自在に取り付けられている。導体支持部３０はダクト本体２０をカシめる等して固定され、通常の使用方法であれば長手方向に移動したり、抜け出すことは無い。導体支持部３０は、絶縁性の樹脂材等で形成されている。これら各導体支持部３０には導電体３１が長手方向に沿って一体に取り付けられている。導電体３１は導体支持部３０の成形時に同時にインサート（挿入）されて一体化されている。
【００１６】
導電体３１は図２に示すように、断面矩形状に形成されており、長辺側の一対の主面３１ａ，３１ｂと、短辺側の一対の側面３１ｃ，３１ｄを有している。一対の側面３１ｃ，３１ｄは導電体３１の図１中上下方向に沿って位置しており、導体支持部３０の内壁側に位置している。すなわち、外部には露出しない非露出部である。なお、主面３１ａは導体支持部３０の隙間から露出しており、後述するコンセント５０の接触片５３との接触に供される。
【００１７】
一対の側面３１ｃ，３１ｄには並目状のローレット３２が形成されている。このローレット３２は、例えば図３に示すように一対のツール１００間に通すことによって形成されている。このローレット３２により導電体３１は導体支持部３０の内壁に食い込んでいる。ローレット３２の稜線（山の頂部）は導電体３１の長手方向に交差する方向に設定されている。なお、ローレット３２は並目状の他、綾目状に形成してもよい。
【００１８】
電源供給装置４０は、商用電源に接続される筐体４１と、この筐体４１から突出して形成され、ライティングダクト１０に挿入される挿入部４２と、この挿入部４２の側面に設けられ、一対の支持縁部２２に係合する係合部４３と、係合部４３から突出した一対の導電部４４とを備えている。一対の導電部４４は商用電源に接続され、導電体３１に電力を供給する機能を有している。また、一対の導電部４４は水平方向外側に向けて付勢されており、一対の導電部４４と一対の導電体３１は適度な弾性力で押し付け合う。
【００１９】
コンセント５０は、筐体５１と、一対の支持縁部２２に係合する一対の係合部５２と、導電体３１との接触する一対の接触片５３とを備えている。一対の接触片５３は外側に向けてバネ等により付勢されている。
【００２０】
コンセント５０は図１中矢印Ｐに示す向きで開口部２１に挿入し、図１中矢印Ｑに示す向きで９０°回転させることで、一対の支持縁部２２と一対の係合部５２とを係合させて脱落防止とする。また、この時、一対の接触片５３と一対の導電体３１とが接触し、導通する。なお、一対の接触片５３は外側に向けて付勢されているため、一対の接触片５３と一対の導電体３１はバネ等によって適度な弾性力で互いに押し付け合う。
【００２１】
このように構成されたライティングダクト１０は次のように用いる。ライティングダクト１０の取付孔２３にネジを挿入して天井等に取り付ける。次に、ライティングダクト１０の端部に電源供給装置４０を挿入し、一対の導電部４４を一対の導電体３１の主面３１ａに接触させる。この時、導電部４４は導電体３１をダクト本体２０の長手方向に沿って反対側の端面に向けて押す。一方、導電体３１の側面３１ｃ，３１ｄには並目状のローレット３２が形成されており、このローレット３２は導体支持部３０の内壁に食い込んでいる。このため、導電体３１が導体支持部３０に対して長手方向へ移動せず、導体支持部３０と導電体３１との一体構成は維持される。
【００２２】
したがって、電源供給装置４０を脱着しても導電体３１の位置は変わらないため、電源供給装置４０の導電部４４と導電体３１との導通は常に確保され、ライティングダクト１０の信頼性は維持される。
【００２３】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１０…  ライティングダクト、２０…ダクト本体、２１…開口部、２２…支持縁部、３０…導体支持部、３１…導電体、３２…ローレット、４０…電源供給装置、４１…筐体、４２…挿入部、４３…係合部、４４…導電部、５０…コンセント、５１…筐体、５２…係合部、５３…接触片、１００…ツール。
【図１】
2018055845.tif 000003
【図２】
2018055845.tif 000004
【図３】
2018055845.tif 000005